(57)【要約】【課題】シートを支持棒に対して容易に着脱できる担架を提供する。【解決手段】この考案にかかる担架１０は、互いに平行に距離を隔てて配置される一対の支持棒１２、１２と、一対の支持棒１２、１２に設けられるシート１４とを有する。シート１４は、シート部１８とシート部１８の両端部に設けられる一対の筒状部２０、２０とから構成されている。一対の筒状部２０、２０の内部には、一対の支持棒１２、１２の中間部分が配置されることにより、一対の支持棒１２、１２にシート１４が設けられる。各筒状部２０には、その長手方向における一端から他端にわたってファスナ２２が設けられている。【選択図】図１
0003103731.tif 000002
【実用新案登録請求の範囲】
【請求項１】
互いに平行に距離を隔てて配置される一対の支持棒、および
前記一対の支持棒に設けられるシートを有し、
前記シートは、長方形状のシート部および前記シート部の幅方向における両端部に設けられた一対の筒状部を有し、
前記一対の筒状部の内部に前記一対の支持棒の中間部分がそれぞれ配置されることにより、前記一対の支持棒に前記シートが設けられる担架であって、
前記シート部の長手方向における前記一対の筒状部の一端から他端にわたって、前記筒状部を開閉するためのファスナがそれぞれ設けられた、担架。
【請求項２】
前記ファスナは、前記筒状部において前記シート部が設けられた部分とは反対側の部分に設けられた、請求項１に記載の担架。
【請求項３】
前記一対の支持棒に架けられる連結部材を有する、請求項１または請求項２に記載の担架。
【請求項４】
前記連結部材は、一端が前記一対の支持棒の一方に回動可能に支持され、他端が前記一対の支持棒の他方に嵌め込み可能に形成される連結アームを含む、請求項３に記載の担架。
【請求項５】
前記一対の支持棒の長手方向における一端側部分に設けられる車輪部を有する、請求項１ないし請求項４のいずれかに記載の担架。
【請求項６】
前記一対の支持棒の長手方向における他端側部分に設けられる脚部を有する、請求項５に記載の担架。
【考案の詳細な説明】
【技術分野】
【０００１】
この考案は担架に関し、特に、一対の支持棒とそれらに設けられるシートとを有し、シートが一対の支持棒に対して着脱可能である担架に関する。
【背景技術】
【０００２】
従来、病人や怪我人等を乗せて運ぶ用具として、互いに平行に距離を隔てて配置される一対の支持棒とそれらの支持棒に設けられるシートとにより構成される担架が知られている。
【０００３】
図１２は従来の担架の一例を示す図解図である。この担架１は、シートとしての長方形状の繊維製ネット２と、組み立て式軽量パイプからなる一対の支持棒３、３とを有する。繊維製ネット２には、その長手方向に間隔を隔てて、８本の繊維製ベルト４、４、・・が縫付けられている。それらの繊維製ベルト４、４、・・の両端部には、支持棒３に繊維製ネット２を装着するための面ファスナ５がそれぞれ取付けられている。この担架１では、面ファスナ５により繊維製ネット２を支持棒３に対して着脱することができる（たとえば、特許文献１参照）。
【０００４】
【特許文献１】特開平１１−１２３２０８号公報
【考案の開示】
【考案が解決しようとする課題】
【０００５】
しかしながら、上記の担架１においては、繊維製ネット２が複数本の繊維製ベルト４、４、・・に取付けられた複数の面ファスナ５、５、・・により各支持棒３に装着されるので、繊維製ネット２を各支持棒３に対して着脱する際に、すべての面ファスナ５、５、・・を操作しなければならなく、その操作に手間がかかることから、繊維製ネット２を容易に着脱できないという問題がある。
【０００６】
それゆえに、この考案の主たる目的は、シートを支持棒に対して容易に着脱できる担架を提供することである。
【課題を解決するための手段】
【０００７】
この考案にかかる担架は、互いに平行に距離を隔てて配置される一対の支持棒と、一対の支持棒に設けられるシートとを有し、シートは、長方形状のシート部およびシート部の幅方向における両端部に設けられた一対の筒状部を有し、一対の筒状部の内部に一対の支持棒の中間部分がそれぞれ配置されることにより、一対の支持棒にシートが設けられる担架であって、シート部の長手方向における一対の筒状部の一端から他端にわたって、筒状部を開閉するためのファスナがそれぞれ設けられた、担架である。
この考案にかかる担架では、ファスナは、筒状部においてシート部が設けられる部分とは反対側の部分に設けられることが好ましい。
また、この考案にかかる担架では、一対の支持棒に架けられる連結部材を有することが好ましい。この場合、連結部材は、一端が一対の支持棒の一方に回動可能に支持され、他端が一対の支持棒の他方に嵌め込み可能に形成される連結アームを含むことが好ましい。
さらに、この考案にかかる担架では、一対の支持棒の長手方向における一端側部分に設けられる車輪部を有することが好ましい。この場合、一対の支持棒の長手方向における他端側部分に設けられる脚部を有することが好ましい。
【考案の効果】
【０００８】
この考案にかかる担架では、シートにおいてシート部の両端部に設けられた一対の筒状部を、シート部の長手方向における筒状部の一端から他端にわたって設けられたファスナによって開閉することができるので、シートの筒状部を容易に開閉することができる。そのため、この考案によれば、シートを支持棒に対して容易に着脱できる担架が得られる。この考案にかかる担架を用いれば、たとえば、怪我人、患者あるいは寝たきり老人等をシートに乗せたままファスナを開けることで、シートのみを支持棒から容易に取り外すことができることから、その者に対して大きな苦痛を与えることなく担架から診察台等へ移動することができる。
この考案にかかる担架において、ファスナが筒状部においてシート部が設けられた部分とは反対側の部分に設けられると、ファスナがシートの両側に配置されることになり、シートに怪我人等を乗せたままでも、ファスナが操作しやすい。そのため、シートに怪我人等を乗せたままでも、容易に、筒状部を開閉することができ、シートを着脱することができる。
また、この考案にかかる担架において、一対の支持棒に連結部材が架けられると、一対の支持棒が接近することが防止され、一対の支持棒間でシートがたるみにくくなる。連結部材は、一端が一対の支持棒の一方に回動可能に支持され、他端が一対の支持棒の他方に嵌め込み可能に形成される連結アームを有すると、連結アームの他端を一対の支持棒の他方から外して、連結アームを一対の支持棒の一方に沿うように回動してコンパクトに収納することができる。
さらに、この考案にかかる担架では、一対の支持棒の長手方向における一端側部分に車輪部が設けられると、一対の支持棒の長手方向における他端側部分を持って車輪部を用いて担架全体を容易に運ぶことができる。この場合、一対の支持棒の長手方向における他端側部分に脚部が設けられると、脚部を接地することによって、脚部がいわゆるストッパとして働き、担架が車輪部で不用意に移動することを防止することができる。
【０００９】
この考案の上述の目的、その他の目的、特徴および利点は、図面を参照して行う以下の考案を実施するための最良の形態の説明から一層明らかとなろう。
【考案を実施するための最良の形態】
【００１０】
図１はこの考案にかかる担架の一例を示す斜視図であり、図２はその担架のファスナの取付け状態等を示す図解図であり、図３はその担架の分解斜視図である。この担架１０は、互いに平行に距離を隔てて配置される一対の支持棒１２、１２と、一対の支持棒１２、１２に設けられるシート１４とを有する。
【００１１】
一対の支持棒１２、１２は、それぞれ、アルミニウム製である。各支持棒１２は、たとえば、長さが２０００ｍｍであり、外径が４０ｍｍである。各支持棒１２の両先端部には、担架１０を持ち運びやすくするために、たとえばゴムからなる把持部１６がそれぞれ設けられている。
【００１２】
シート１４は、防水加工が施されたポリエステルからなり、長方形状のシート部１８と、シート部１８の幅方向における両端部に設けられる一対の筒状部２０、２０とを有する。シート部１８は、たとえば、長さが１６００ｍｍであり、幅が５５０ｍｍである。一対の筒状部２０、２０は、シート部１８の長手方向における一端から他端にわたって長手方向に沿う両端部に縫製加工を施すことによりシート部１８と一体的に形成されている。また、各筒状部２０の内径は、各支持棒１２の中間部分が配置できる大きさを確保している。
【００１３】
シート１４の各筒状部２０には、その長手方向における一端から他端にわたって、スライダを摺動することによって開閉することができるファスナ２２が設けられている。そのため、各ファスナ２２によって、各筒状部２０をその長手方向における一端から他端にわたって開閉することができる。また、各ファスナ２２は、各筒状部２０においてシート部１８が形成される部分とは反対側の部分に設けられる。そのため、一対のファスナ２２、２２は、シート１４の両側に配置されることになる。
【００１４】
この担架１０では、一対の筒状部２０、２０の内部に一対の支持棒１２、１２の中間部分が配置されることにより、一対の支持棒１２、１２にシート１４が設けられる。この場合、各筒状部２０を各ファスナ２２で開閉することができるので、一対の筒状部２０、２０の内部に一対の支持棒１２、１２の中間部分を容易に配置することができる。
【００１５】
また、この担架１０では、各筒状部２０に取付けられた各ファスナ２２を使用することにより、一対の筒状部２０、２０から一対の支持棒１２、１２を容易に取出すことができる。よって、たとえば、怪我人、患者あるいは寝たきり老人等をシート１４に乗せたままでも、その者に苦痛を与えることなくシート１４ごと診察台等に移すことができる。
【００１６】
シート１４から一対の支持棒１２、１２を取出す方法として、一対の支持棒１２、１２を一対の筒状部２０、２０から引き抜く方法が考えられる。このように比較的長い支持棒１２、１２を引き抜く作業をするためには、その作業をするためのスペースが必要であるため容易にはできない。しかしながら、この担架１０では、各筒状部２０を各ファスナ２２で開閉することができるので、省スペースで容易に一対の支持棒１２、１２を取出すことができる。
【００１７】
また、この担架１０では、一対のファスナ２２、２２がシート１４の両側に配置されているので、シート１４に患者等を乗せたままでも、容易に、各ファスナ２２で各筒状部２０を開閉することができ、シート１４を着脱することができる。
【００１８】
さらに、この担架１０は、一対の支持棒１２、１２がアルミニウム製であり、全体の重量がたとえば５ｋｇと軽量であるので、運搬しやすい。
【００１９】
また、この担架１０では、シート１４が防水加工が施されたポリエステルからなるので、シート１４を洗濯してもシート１４が収縮せず、洗濯後のシート１４でも容易に着脱することができる。
【００２０】
図４はこの考案にかかる担架の他の例を示す斜視図であり、図５はその担架からシートを外した状態を示す斜視図であり、図６はその担架に用いられる支持棒等を示す図解図である。図４に示す担架１１０は、図１に示す担架１０と比べて、各支持棒１２が、連結される棒状のオス部１２ａおよびメス部１２ｂからなるとともに、各メス部１２ｂに連結部材としての連結アーム２４が設けられている。
【００２１】
各支持棒１２のオス部１２ａおよびメス部１２ｂは、それぞれ、アルミニウム製のパイプにより形成されている。これらのオス部１２ａおよびメス部１２ｂの一端部には、たとえばゴムからなる把持部１６がそれぞれ形成される。
【００２２】
オス部１２ａの他端部には、やや細いスライド部１２ｃが形成されている。スライド部１２ｃの側面には、突起部１２ｄが形成されている。突起部１２ｄは、スライド部１２ｃの内側に設けたバネ（図示せず）を用いて外側に付勢され、内側に押している間は内側にへこむように形成されている。
【００２３】
メス部１２ｂの他端部には、スライド部１２ｃを挿入するための開口部１２ｅが形成されている。開口部１２ｅの端部には、オス部１２ａとメス部１２ｂを連結する際に手早く連結できるようにするために、開口部１２ｅの内径を部分的に外側にやや広げた印部１２ｆが形成されている。また、オス部１２ａがメス部１２ｂと連結したときにメス部１２ｂから抜けにくくするために、開口部１２ｅには、突起部１２ｄに対応する固定孔１２ｇが形成されている。この固定孔１２ｇは、印部１２ｆからメス部１２ｂの長手方向に所定の間隔を隔てた部分に形成される。
【００２４】
各連結アーム２４は、Ｏ字形の保持部２６、棒状のアーム部２８およびＵ字形の支持部３０から構成されている。保持部２６は、支持棒１２のメス部１２ｂにおける把持部１６側に取外しが可能な状態で取付けられる。アーム部２８は、一端部が保持部２６に対して支持棒１２に沿う方向に回動可能な状態で接続される。そして、アーム部２８の他端部には、支持部３０の湾曲部の外側における中心部が溶接等により接続される。この支持部３０は、他方の支持棒１２のオス部１２ａに嵌め込み可能に形成されている。各連結アーム２４の全長は、たとえば６３０ｍｍである。
【００２５】
この担架１１０では、上述の担架１０と同様の効果を奏するとともに、次の効果も奏する。
すなわち、この担架１１０では、一対の支持棒１２、１２に各連結アーム２４を架けわたすことにより、一対の支持棒１２、１２を所定の間隔に固定した担架を確保することができる。よって、患者等の重みによる担架１１０のシート１４の沈み込みが減少することにより、安定した運搬が可能となる。加えて、一対の支持棒１２、１２は、それぞれ、２本に分離できることにより、担架１１０をコンパクトに収納することができる。さらに、各連結アーム２４を各支持棒１２に沿わせるように回動できるという点でも、担架１１０をコンパクトに収納することができる。
【００２６】
図７はこの考案にかかる担架のさらに他の例を示す斜視図であり、図８はその担架からシートを外した状態を示す斜視図であり、図９はその担架に用いられる車輪部を示す図解図であり、図１０はその担架に用いられる脚部を示す図解図である。図７に示す担架２１０は、図４に示す担架１１０と比べて、車輪部３２と脚部３４とを備えたものである。
【００２７】
車輪部３２は、互いに平行に所定の間隔を隔てて配置される一対の支え棒３６、３６を含む。それらの支え棒３６、３６は、連結手段としての連結棒３８を介して接続される。それぞれの支え棒３６の下端部には、車輪としてストッパー付きのキャスタ４０がそれぞれ取付けられている。また、それぞれの支え棒３６の上端部には、一対の支持棒１２、１２に取付けるためのＯ字形の取付け部４２がそれぞれ設けられている。取付け部４２は、上クランプ４２ａ、下クランプ４２ｂ、蝶番４２ｃ、蝶ネジ４２ｄおよびナット４２ｅから構成されている。そして、車輪部３２は、一対の支持棒１２、１２のそれぞれの一端側部分に各取付け部４２で取外しが可能な状態で取付けられている。
【００２８】
脚部３４は、互いに平行に所定の間隔を隔てて配置される一対の支え棒４４、４４を含む。それらの支え棒４４、４４は、連結手段としての連結棒４６を介して接続される。それぞれの支え棒４４の下端部には、ゴムからなる滑止め４８がそれぞれ取付けられている。また、それぞれの支え棒４４の上端部には、一対の支持棒１２、１２に取付けられるためのＯ字形の取付け部５０がそれぞれ設けられている。ここで、連結棒４６は、連結棒３８と同様に形成されている。また、取付け部５０は、取付け部４２と同様に形成されている。そして、脚部３４は、一対の支持棒１２、１２のそれぞれの他端側部分に各取付け部５０で取外し可能な状態で取付けられている。
【００２９】
また、この担架２１０が水平な平面に置かれた場合、その平面と一対の支持棒１２、１２が平行となるように、車輪部３２の長さないし高さと脚部３４の長さないし高さが決定される。この場合、平面から一対の支持棒１２、１２までの長さないし高さは、たとえば、３３０ｍｍである。
【００３０】
この担架２１０は、上述の担架１１０と同様の効果を奏するとともに、次の効果も奏する。
図１１に示すように、この担架２１０を用いると、車輪部３２を備えていることにより、たとえば怪我人や患者等の運搬が一人でも可能となる。また、脚部３４を備えていることにより、緩斜面などにこの担架を置いたときに、脚部３４がブレーキの役割をすることとなる。
また、この担架２１０では、車輪部３２および脚部３４が取外し可能であることにより、車輪部および脚部を有するにもかかわらず全体をコンパクトに収納できる。
【００３１】
なお、上述の各担架１０、１１０、２１０では、それぞれ、一対の支持棒１２、１２がアルミニウムで形成されているが、この考案では、一対の支持棒はアルミニウムの代わりにステンレス、プラスチック、木などで形成されてもよい。
【００３２】
また、上述の各担架１０、１１０、２１０では、それぞれ、ファスナ２２が筒状部２０においてシート部１８が形成される側の部分とは反対側の部分に形成されているが、この考案では、ファスナは、筒状部においてシート部が形成される側の部分に一端から他端にわたって形成されてもよく、あるいは、筒状部において他の部分に一端から他端にわたって形成されてもよい。
【００３３】
さらに、上述の各担架１１０、２１０では、それぞれ、連結部材として、アーム部２８の両端に保持部２６および支持部３０を設けた連結アーム２４が用いられているが、連結部材としては、棒状のもののみであるいは板状のもののみで構成されてもよい。
【産業上の利用可能性】
【００３４】
この考案にかかる担架は、たとえば病人や怪我人等を乗せて運ぶ用具として用いられる。
【図面の簡単な説明】
【００３５】
【図１】この考案にかかる担架の一例を示す斜視図である。
【図２】図１に示す担架のファスナの取付け状態等を示す図解図である。
【図３】図１に示す担架の分解斜視図である。
【図４】この考案にかかる担架の他の例を示す斜視図である。
【図５】図４に示す担架からシートを外した状態を示す斜視図である。
【図６】図４に示す担架に用いられる支持棒等を示す図解図である。
【図７】この考案にかかる担架のさらに他の例を示す斜視図である。
【図８】図７に示す担架からシートを外した状態を示す斜視図である。
【図９】図７に示す担架に用いられる車輪部を示す図解図である。
【図１０】図７に示す担架に用いられる脚部を示す図解図である。
【図１１】図７に示す担架の使用例を示す図解図である。
【図１２】従来の担架の一例を示す図解図である。
【符号の説明】
【００３６】
１０、１１０、２１０  担架
１２  支持棒
１４  シート
１６  把持部
１８  シート部
２０  筒状部
２２  ファスナ
２４  連結アーム
２６  保持部
２８  アーム部
３０  支持部
３２  車輪部
３４  脚部
３６、４４  支え棒
３８、４６  連結棒
４０  キャスタ
４２、５０  取付け部
４８  滑止め
【図１】
0003103731.tif 000003
【図２】
0003103731.tif 000004
【図３】
0003103731.tif 000005
【図４】
0003103731.tif 000006
【図５】
0003103731.tif 000007
【図６】
0003103731.tif 000008
【図７】
0003103731.tif 000009
【図８】
0003103731.tif 000010
【図９】
0003103731.tif 000011
【図１０】
0003103731.tif 000012
【図１１】
0003103731.tif 000013
【図１２】
0003103731.tif 000014